(57)【要約】【課題】視認性にすぐれ、押しボタンの損傷を防ぐことのできるボタンスイッチ装置及びこれを具えるエレベータを提供する。【解決手段】本発明に係るボタンスイッチ装置は、１又は複数の押しボタン20を具えるボタンスイッチ装置であって、前記押しボタンは、透光性の樹脂から形成される基台30と、該基台の表面に取り付けられた金属製の保護プレート40と、該保護プレート上に取り付けられた樹脂製の化粧カバー50と、を具える。また、本発明に係るエレベータは、乗場用の操作盤と、カゴ70内に設置されるカゴ用の操作盤74,78と、を具えるエレベータにおいて、少なくとも一方の操作盤は、上記記載のボタンスイッチ装置10である。【選択図】図２
2014159322.tif 000002
【特許請求の範囲】
【請求項１】
１又は複数の押しボタンを具えるボタンスイッチ装置であって、
前記押しボタンは、
透光性の樹脂から形成される基台と、
該基台の表面に取り付けられた金属製の保護プレートと、
該保護プレート上に取り付けられた樹脂製の化粧カバーと、
を具える、
ことを特徴とするボタンスイッチ装置。
【請求項２】
前記基台には、前記押しボタンに関連付けられた情報を突設してなる凸情報部が一体に成形されており、
前記保護プレート及び化粧カバーには、前記凸情報部に対応した切り欠きが形成されて、
前記凸情報部は、前記化粧カバーよりも突出している、
請求項１に記載のボタンスイッチ装置。
【請求項３】
前記保護プレートと化粧カバーとの間に、弾力性のあるクッション材が配置される、請求項１又は請求項２に記載のボタンスイッチ装置。
【請求項４】
前記保護プレートは、凸形状である、請求項１乃至請求項３の何れかに記載のボタンスイッチ装置。
【請求項５】
前記基台を背面側から照射する発光手段を具える、請求項１乃至請求項４の何れかに記載のボタンスイッチ装置。
【請求項６】
乗場用の操作盤と、カゴ内に設置されるカゴ用の操作盤と、を具えるエレベータにおいて、
少なくとも一方の操作盤は、請求項１乃至請求項５の何れかに記載のボタンスイッチ装置である、エレベータ。
【発明の詳細な説明】
【技術分野】
【０００１】
本発明は、押しボタンを具えたボタンスイッチ装置及び該ボタンスイッチ装置を乗場やカゴに設置したエレベータに関するものである。
【背景技術】
【０００２】
エレベータには、乗場に設置される乗場用の操作盤とカゴ内に設置されるカゴ用の操作盤が設置されている。乗場用の操作盤には、カゴ呼び用の押しボタンや、乗場にて行先階を先登録するエレベータにおいては行先階の先登録用の押しボタンからなるボタンスイッチ装置が配備される。また、カゴ用の操作盤には、行先階登録用の押しボタンや扉開閉用の押しボタン等からなるボタンスイッチ装置が配備される。
【０００３】
この種のボタンスイッチ装置では、押しボタンに透光性の樹脂を採用し、押しボタンが操作されると、押しボタンを背面側から照らして、押しボタンの操作が受け付けられたことを視認できるようにしている。
【０００４】
一方で、乱暴な操作やいたずら防止から押しボタンの表面の損傷を防ぐことが求められている。このため、前記樹脂製の押しボタンの押圧面に、操作に対応する文字などが切り欠き形成されたステンレスなどの金属を採用したものが提案されている(例えば、特許文献１参照)。
【先行技術文献】
【特許文献】
【０００５】
【特許文献１】特開２０１２−１５３４４４号
【発明の概要】
【発明が解決しようとする課題】
【０００６】
しかしながら、押しボタンの押圧面にステンレスなどの金属を採用すると、意匠性が乏しくなってしまう。
【０００７】
また、操作を受け付けた後は押しボタンに切り欠き形成された文字等が光るが、操作受付前、即ち、操作する段階では文字等は光っていない。このため、押しボタンの周囲もステンレスなどの金属を採用した場合には、押しボタンの視認性が悪くなってしまう。
【０００８】
本発明の目的は、視認性にすぐれ、押しボタンの損傷を防ぐことのできるボタンスイッチ装置及びこれを具えるエレベータを提供することである。
【課題を解決するための手段】
【０００９】
本発明に係るボタンスイッチ装置は、
１又は複数の押しボタンを具えるボタンスイッチ装置であって、
前記押しボタンは、
透光性の樹脂から形成される基台と、
該基台の表面に取り付けられた金属製の保護プレートと、
該保護プレート上に取り付けられた樹脂製の化粧カバーと、
を具えるものである。
【００１０】
また、本発明に係るエレベータは、
乗場用の操作盤と、カゴ内に設置されるカゴ用の操作盤と、を具えるエレベータにおいて、
少なくとも一方の操作盤は、上記記載のボタンスイッチ装置である。
【発明の効果】
【００１１】
本発明に係るボタンスイッチ装置によれば、樹脂製の基台は、金属製の保護プレートにより、その表面が覆われているから、押しボタンが乱暴に操作されたり、いたずらされても、基台の破損を防止することができる。
また、金属製の保護プレートは耐熱性にすぐれるから、焼損なども防止できる。
【００１２】
さらに、金属製の保護プレートの上を樹脂製の化粧カバーで覆っているから、指触りも優しい。
加えて、化粧カバーを着色したり、意匠性をもたせることで、デザインバリエーションに富んだ押しボタンを提供できる。
また、押しボタンの表面を化粧カバーで覆っていることで、押しボタンの周囲にステンレスなどの金属を採用した場合であっても、押しボタンを視覚的に識別することが容易である。
【００１３】
本発明のエレベータによれば、乗場用の操作盤及び／又はカゴ内に設置されるカゴ用の操作盤に上記ボタンスイッチ装置を採用することで、押しボタンが乱暴に操作されたり、いたずらされても、基台の破損を防止することができ、また、焼損も防止できる。また、押しボタンの指触りも優しく、デザインバリエーションにも富み、押しボタンの視認性を可及的に高めることができるエレベータを提供することができる。
【図面の簡単な説明】
【００１４】
【図１】図１は、本発明のボタンスイッチ装置の正面図である。
【図２】図２は、図１の線Ａ−Ａに沿うボタンスイッチ装置の要部断面図である。
【図３】図３は、押しボタンの異なる実施例を示す断面図である。
【図４】図４は、押しボタンの異なる実施例を示す断面図である。
【図５】図５は、押しボタンの異なる実施例を示す断面図である。
【図６】図６は、押しボタンの異なる実施例を示す断面図である。
【図７】図７は、押しボタンの異なる実施例を示す押しボタンの平面図である。
【図８】図８は、図７の線Ｂ−Ｂに沿う断面図である。
【図９】図９は、本発明のボタンスイッチ装置をエレベータのカゴ用の操作盤に適用した実施例を示している。
【発明を実施するための形態】
【００１５】
以下、本発明のボタンスイッチ装置(10)について、図面を参照しながら説明する。
【００１６】
本発明のボタンスイッチ装置(10)は、図１に示すように、筺体パネル(11)に開設されたボタン用孔(12)に押しボタン(20)を押下可能に配備して構成される。図示の例では、押しボタン(20)は１つしか示していないが、後述する図９の如く、複数の押しボタン(20)を筺体パネル(11)に配置することもできる。
【００１７】
押しボタン(20)は、図２に示すように、透光性の樹脂から形成される基台(30)と、該基台(30)の表面に取り付けられた金属製の保護プレート(40)と、該保護プレート上に取り付けられた樹脂製の化粧カバー(50)と、を具える。
【００１８】
ボタンスイッチ装置(10)は、押しボタン(20)の基台(30)の裏面側に、図２に示すように、タクトスイッチ等のスイッチ手段(13)を具えるスイッチ基板(14)と、ＬＥＤ等の発光手段(15)が対向して配備される。
【００１９】
押しボタン(20)を押すと、基台(30)がスイッチ手段(13)を押下して、スイッチ手段(13)が操作される。また、発光手段(15)は、スイッチ手段(13)への操作が受け付けられたときに発光し、受け付けられた操作が完了したときに、消灯するよう構成することができる。勿論、発光手段(15)を常時点灯させたり、特定のトリガー(例えば、自動販売機では硬貨の投入)によって発光するようにしてもよい。
【００２０】
基台(30)は、前述したとおり、透光性の樹脂から形成することができる。基台(30)の形状は、特に限定されるものではなく、図１に示すように断面円形のものや、楕円形、矩形、三角形などであってもよい。また、押しボタン(20)が筺体パネル(11)のボタン用孔(12)から脱落することを防止するために、基台(30)の周囲に鍔(図示せず)を形成することもできる。
【００２１】
基台(30)は、スイッチ基板(14)と対向しない表面側に、図１及び図２に示すように、文字や記号、図形など、押しボタン(20)の操作に関連付けられた情報を突設してなる凸情報部(32)を具えることができる。なお、図１に示す凸情報部(32)は数字の「２」である。また、基台(30)の表面側は、周縁にリブ(34)を突設することができる。
【００２２】
凸情報部(32)及びリブ(34)は、基台(30)と一体に成形することができる。凸情報部(32)の視認性を高めるために、凸情報部(32)は、リブ(34)よりも高く形成することが望ましい。
【００２３】
基台(30)の表面には、図２に示すように、ステンレス等の金属製の保護プレート(40)が取り付けられている。図示の実施例では、保護プレート(40)には、凸情報部(32)に対応した形状の切り欠き(42)を形成している。
【００２４】
保護プレート(40)は、基台(30)の形状に合わせて作成され、基台(30)の表面にリブ(34)を突設した場合、リブ(34)内に収まる大きさとする。
【００２５】
保護プレート(40)は、接着や両面テープによる貼着により基台(30)に取り付けることができる。
【００２６】
保護プレート(40)上には、図１及び図２に示すように、樹脂製の化粧カバー(50)が取り付けられている。図示の実施例では、化粧カバー(50)は、凸情報部(32)に対応した形状の切り欠き(52)を形成している。
【００２７】
化粧カバー(50)は、基台(30)の形状に合わせて作成され、基台(30)の表面にリブ(34)を突設した場合、リブ(34)内に収まる大きさとする。
【００２８】
化粧カバー(50)は、着色したり、意匠性をもたせることで、押しボタン(20)をデザインバリエーションに富んだものとすることができる。
【００２９】
化粧カバー(50)は、接着や両面テープによる貼着により保護プレート(40)に取り付けることができる。
【００３０】
上記構成のボタンスイッチ装置(10)は、基台(30)の表面が、金属製の保護プレート(40)により覆われているから、押しボタン(20)が乱暴に操作されたり、いたずらされても、基台(30)の破損を防止することができる。また、金属製の保護プレート(40)は耐熱性にすぐれるから、焼損なども防止できる。
【００３１】
さらに、金属製の保護プレート(40)の上を樹脂製の化粧カバー(50)で覆っているから、指触りも優しい。
【００３２】
加えて、化粧カバー(50)を着色したり、意匠性をもたせることで、デザインバリエーションに富んだ押しボタン(20)を提供できる。
【００３３】
また、押しボタン(20)の表面を化粧カバー(50)で覆っていることで、押しボタン(20)の周囲にステンレスなどの金属を採用した場合であっても、押しボタン(20)を視覚的に識別することが容易である。
【００３４】
本発明のボタンスイッチ装置(10)によれば、押しボタン(20)を操作する等により、発光手段(15)が光ると、その光は、透光性の基台(30)を通って、該基台(30)の凸情報部(32)及びリブ(34)を発光させることができる。基台(30)の凸情報部(32)及びリブ(34)以外の表面は、金属製の保護プレート(40)により覆われているから、外から見たときに、この部分が発光することはなく、視認性にすぐれる。
【００３５】
図３乃至図８は、押しボタン(20)の異なる実施例を示している。
【００３６】
図３は、基台(30)に凸情報部を形成せずに、保護プレート(40)に押しボタン(20)の操作に関連付けられた情報の切り欠き(42)を設けた実施例である。化粧カバー(50)は、保護プレート(40)の切り欠き(42)に対応する部分(54)を、少なくとも透光性の樹脂とすることで、発光手段(15)の発光により、基台(30)を通って、保護プレート(40)の切り欠き(42)を透過した光により、押しボタン(20)の操作に関連付けられた情報を発光させることができる。
【００３７】
図４の実施例は、保護プレート(40)の周縁を内向きに補強リブ(44)を突設し、凸形状としたものである。
【００３８】
図５の実施例は、保護プレート(40)及び化粧カバー(50)を中央に向けて基台(30)から離れる方向の曲面形状とすることで、凸形状としたものである。
【００３９】
図４や図５に示すように、保護プレート(40)を凸形状とすることで、保護プレート(40)の強度を増すことができ、破損等に対する耐性を高めることができる。
【００４０】
また、図５に示すように化粧カバー(50)も曲面形状とすることで、意匠性を高めることができる。
【００４１】
図６の実施例では、保護プレート(40)と化粧カバー(50)との間に、弾力性のあるクッション材(60)を配置している。クッション材(60)にも、基台(30)の凸情報部(32)に応じた切り欠き(62)を形成している。
【００４２】
クッション材(60)を配置することで、化粧カバー(50)を操作したときに弾力性を具備することができ、柔らかい操作感とすることができる。クッション材(60)は、接着や貼着により保護プレート(40)、化粧カバー(50)に取り付けることができる。
【００４３】
図７及び図８は、保護プレート(40)に複数の孔(46)を開設し、化粧カバー(50)には、孔(46)と対向する位置に表面側から見て凹んだ形状のディンプル(56)を設け、該ディンプル(56)の裏面側を保護プレート(40)の孔(46)に嵌めるようにしている。これにより、化粧カバー(50)の表面強度を高めることができると共に、化粧カバー(50)に意匠性を具備することができ、また、化粧カバー(50)へ触れたときの感触を異なった趣とすることができる。
【００４４】
上記構成とすることで、視覚障がい者が、凸情報部(32)に触れる際、周囲のディンプル(56)による感触の差によって、情報をより認識しやすくすることができる利点もある。
【００４５】
図９は、本発明のボタンスイッチ装置(10)をエレベータのカゴ(70)内に設置されるカゴ用の操作盤(74)に採用した実施例である。
図は、カゴ(70)内から扉(72)側を見た図であり、図示では、本発明のボタンスイッチ装置(10)を扉(72)の横に配置され操作盤(74)に採用している。押しボタン(20)の種類として、行先階登録用の押しボタン(75)や扉開閉用の押しボタン(76)を例示できる。
【００４６】
なお、図９において、側壁の低い位置に設けられた操作盤(78)に本発明のボタンスイッチ装置(10)を採用することもできる。
【００４７】
本発明のエレベータによれば、カゴ(70)内の操作盤(74)(78)に上述したボタンスイッチ装置(10)を採用することで、押しボタン(20)が乱暴に操作されたり、いたずらされても、基台(30)の破損を防止することができ、また、焼損も防止できる。また、押しボタン(20)の指触りも優しく、デザインバリエーションにも富み、押しボタン(20)の視認性を可及的に高めることができるエレベータを提供することができる。
【００４８】
勿論、エレベータの乗場に設置される操作盤に本発明のボタンスイッチ装置(10)を適用することもでき、上記と同様の効果を得ることができる。
【００４９】
なお、本発明の各部構成は上記実施の形態に限らず、特許請求の範囲に記載の技術的範囲内で種々の変形が可能である。
【００５０】
例えば、基台(30)の裏面に、スイッチ手段を操作するための突起を形成することができる。
【００５１】
また、上記した実施例を組み合わせたボタンスイッチ装置とすることも勿論可能である。
【００５２】
上記では、エレベータの操作盤に本発明のボタンスイッチ装置(10)を適用しているが、自動販売機や駅などの発券機に本発明のボタンスイッチ装置(10)を適用することも勿論でき、上記と同様の効果を得ることができる。
【産業上の利用可能性】
【００５３】
本発明は、押しボタンを具えたボタンスイッチ装置及びこれを具えるエレベータとして有用である。
【符号の説明】
【００５４】
(10)  ボタンスイッチ装置
(11)  筺体パネル
(20)  押しボタン
(30)  基台
(32)  凸情報部
(40)  保護プレート
(42)  切り欠き
(50)  化粧カバー
(52)  切り欠き
【図１】
2014159322.tif 000003
【図２】
2014159322.tif 000004
【図３】
2014159322.tif 000005
【図４】
2014159322.tif 000006
【図５】
2014159322.tif 000007
【図６】
2014159322.tif 000008
【図７】
2014159322.tif 000009
【図８】
2014159322.tif 000010
【図９】
2014159322.tif 000011